(57)【要約】【課題】開封後で余分な廃棄物となるラッピングフィルムを使用しなくて済み、しかも店頭等で多段的に積み重ねて陳列するに際し、下段位の容器の蓋体の上面に上段位の他方の容器を安定した状態で載せることができるようにする。【解決手段】容器本体２と、容器本体２を被嵌する蓋体３と、容器本体２、蓋体３を共に巻回して締着する締着用バンド４とを有する。蓋体３の周縁部対称位置に、任意の幅間隔の一対の位置決め突起５ａ，５ｂを設け、この位置決め突起５ａ，５ｂ間で締着用バンド４を巻回配置する。容器本体２には、積み重ね時の下段に位置する他方の容器本体２に被嵌した蓋体３の上面に係合可能とした突部状の嵌合段差部８を備え、該嵌合段差部８には巻回する締着用バンド４を挿通させる挿通凹所８ａを形成する。また、締着用バンド４は、縁部にＶ字カットもしくはミシン目による破断部７を形成する。【選択図】図２
2009149349.tif 000002
【特許請求の範囲】
【請求項１】
種々の加工食品やその他の収容物を収容する容器本体と、容器本体の上側開口面を被嵌する蓋体と、容器本体、蓋体を共に巻回して両者を締着させる締着用バンドとを有してなる容器において、蓋体の周縁部対称位置に、任意の幅間隔を有する一対の位置決め突起を備え、これら一対の位置決め突起間で前記締着用バンドを巻回配置させたことを特徴とする容器。
【請求項２】
締着用バンドは、その長手方向に沿った縁部にＶ字カットもしくはミシン目による破断部を形成してなる請求項１記載の容器。
【請求項３】
容器本体の下面周縁には、積み重ね時の下段に位置する他方の容器本体に被嵌された蓋体の上面に係合可能とした突部状の嵌合段差部を備え、該嵌合段差部には前記一対の位置決め突起間で巻回する締着用バンドを挿通させる挿通凹所が形成されている請求項１または２記載の容器。
【請求項４】
前記位置決め突起は、蓋体の相対向する部位に締着用紐部材を引っ掛けて、容器本体及び蓋体の両者を締着させた際に当該締着用紐部材を係止可能とした請求項１乃至３のいずれか記載の容器。
【発明の詳細な説明】
【技術分野】
【０００１】
本発明は、主として種々の加工食品やその他の収容物品を収容し、例えば弁当として販売に供するための締着用バンドを備えたプラスチック製の容器に関する。
【背景技術】
【０００２】
従来、例えばフルーツ、野菜サラダ、菓子類、弁当素材等の種々の食材を収容可能とした容器として、食品を収納したまま販売に供し得る圧縮成形プラスチック容器が広く使用されている。この容器としては、例えばＡ−ＰＥＴもしくはＯＰＳ等のプラスチック製の透明フィルム材もしくは透明シート材によって例えば加圧真空熱成形して製作される。また、種々の食材を収納して店頭等で陳列・販売する場合、この種の容器は、食品を収納し閉蓋してから容器全体を例えば透明合成樹脂フィルム製のラッピングフィルム等で包装し、衛生的に管理できるようにしている。
【特許文献１】特になし
【発明の開示】
【発明が解決しようとする課題】
【０００３】
しかしながら、このような従来の容器においては、これら複数の容器を多段的に積み重ねて陳列した場合、個々の容器それぞれがラッピングフィルムで包装されているため、当該容器同士が互いに滑って動いてしまい、崩れてしまうことがある。しかも、このようなラッピングフィルムを使用したことにより、供食時に際し、これを破断して廃棄することになるから、廃棄物が多くなってしまう。
【０００４】
また、従来では、容器本体に被嵌された蓋体の上面に、積み重ね時の上段に位置する他方の容器本体の下面を載せた際に、当該他方の容器本体が下段位の蓋体の上面で滑って転落してしまうことがないようにするために、容器本体の下面周縁に、他方の容器本体に被嵌された蓋体の上面に係合可能とした嵌合段差部を当該下面周縁に沿って形成するという処置がなされている。
【０００５】
しかしながら、このような場合においても、容器本体及び蓋体を含む容器全体がラッピングフィルムによって包装されていると、当該ラッピングフィルムが容器本体の下面周縁の嵌合段差部をも覆い、容器本体底面が実質的に平坦になってしまうから、これが障害となって嵌合段差部による係合が不完全な状態となる。すなわち、衛生管理の向上等を図るためのラッピングフィルムが、商品を多段的に陳列する際の一つの障害ともなり、下段位の容器本体に被嵌された蓋体の上面に上段位の他方の容器を安定した状態で載せることができなくなる。
【０００６】
そこで、本発明は叙上のような従来存した諸事情に鑑み創出されたもので、容器本体、蓋体を共に締着用バンドによって巻回することにより、従来のような余分な廃棄物となるラッピングフィルムを使用しなくて済み、しかもこのような締着式バンドを使用しても、店頭等での多段的な陳列に際し、下段位の容器本体に被嵌された蓋体の上面に上段位の他方の容器を安定した状態で載せておくことができる容器を提供することを目的とする。
【課題を解決するための手段】
【０００７】
上述した課題を解決するため、本発明にあっては、種々の加工食品やその他の収容物を収容する容器本体２と、容器本体２の上側開口面を被嵌する蓋体３と、容器本体２、蓋体３を共に巻回して両者を締着させる締着用バンド４とを有してなる容器１において、蓋体３の周縁部対称位置に、任意の幅間隔を有する一対の位置決め突起５ａ，５ｂを備え、これら一対の位置決め突起５ａ，５ｂ間で前記締着用バンド４を巻回配置させたものである。
締着用バンド４は、その長手方向に沿った縁部に、例えば等間隔毎に配置したＶ字カットもしくはミシン目による破断部７を形成してなるものとすることができる。
容器本体２の下面周縁には、積み重ね時の下段に位置する他方の容器本体２に被嵌された蓋体３の上面に係合可能とした突部状の嵌合段差部８を備え、該嵌合段差部８には前記一対の位置決め突起５ａ，５ｂ間で巻回する締着用バンド４を挿通させる挿通凹所８ａが形成されているものとすることができる。
前記位置決め突起５ａ，５ｂは、蓋体３の相対向する部位に締着用紐部材９例えば輪ゴムを引っ掛けて、容器本体２及び蓋体３の両者を締着させた際に当該締着用紐部材９を係止可能としたものとすることができる。
【０００８】
以上のように構成された本発明に係る容器１にあって、一対の位置決め突起５ａ，５ｂ間において締着用バンド４が容器本体２、蓋体３双方に巻回された際に、当該位置決め突起５ａ，５ｂは締着用バンド４をその両縁位置にて係止するから、当該締着用バンド４の蓋体３周縁に沿ってのずれ・移動等を阻止させる。
また、破断部７は、締着用バンド４の縁部において例えばその横断方向に沿って自由に切断可能にさせる。
さらに、一対の位置決め突起５ａ，５ｂ間で巻回する締着用バンド４を挿通させる挿通凹所８ａが形成されている嵌合段差部８は、容器本体２、蓋体３を共に巻回した締着用バンド４によっても、下段位の他方の容器１の蓋体３に嵌め合わせる突部状形態をそのまま保持させ、下段位の蓋体３の上面に上段位の容器本体２下面の嵌合段差部８を確実に係合させる。
【発明の効果】
【０００９】
本発明によれば、容器本体２、蓋体３を共に締着用バンド４によって巻回することにより、従来のような余分な廃棄物となるラッピングフィルムを使用しなくて済み、しかもこのような締着式バンド４を使用しても、店頭等での多段的な陳列に際し、突部状の嵌合段差部８によって、下段位の容器本体２に被嵌された蓋体３の上面に上段位の他方の容器１を安定した状態で載せておくことができる。
【００１０】
例えば、容器本体２及びこれに被嵌した蓋体３を共に締着用バンド４によって巻回した際に、当該締着用バンド４が蓋体３の周縁に沿ってずれて移動し、すっぽりと離脱してしまうのを未然に防止できる。また、積み重ね時の下段位の容器本体２に被嵌された蓋体３の上面に上段位の他方の容器１を載せて、この容器本体２下面の嵌合段差部８を蓋体３の上面に係合させた際に、容器本体２、蓋体３を共に巻回した締着用バンド４が嵌合段差部８の挿通凹所８ａ内に位置しているから、嵌合段差部８の突部状形態が容器本体２の下面周縁でそのまま保持され、嵌合段差部８の内側の部分が窪んだままとなり、下段位の蓋体３に確実に安定した状態で係合させることができる。
【００１１】
すなわち、これは本発明が、蓋体３の周縁部対称位置に、任意の幅間隔を有する一対の位置決め突起５ａ，５ｂを備え、これら一対の位置決め突起５ａ，５ｂ間で前記締着用バンド４を巻回配置させたからであり、これにより、締着用バンド４のずれ・移動等が一対の位置決め突起５ａ，５ｂによって締着用バンド４の両縁部に係止し、蓋体３の周縁に沿ってのずれを阻止させるから、当該締着用バンド４がすっぽりと抜脱されてしまうのを未然に防止できる。
【００１２】
締着用バンド４は、その長手方向に沿った縁部にＶ字カットもしくはミシン目による破断部７を形成してなるので、容器本体２から蓋体３を外し、開ける際に、当該締着用バンド４をその横断方向で自由に簡単に切断でき、所定の切断用器具等を使用することなく締着用バンド４を外すことができる。
【００１３】
容器本体２の下面周縁には、積み重ね時の下段に位置する他方の容器本体２に被嵌された蓋体３の上面に係合可能とした突部状の嵌合段差部８を備え、該嵌合段差部８には前記一対の位置決め突起５ａ，５ｂ間で巻回する締着用バンド４を挿通させる挿通凹所８ａが形成されている。そのために、下段位の容器本体２に被嵌された蓋体３の上面に、上段位の他方の容器本体２下面の嵌合段差部８を係合した際に、容器本体２、蓋体３を共に巻回した締着用バンド４によっても、対向している嵌合段差部８部位間に空間を形成せず、嵌合段差部８内には窪んでいる嵌合空隙をそのまま保持しており、締着用バンド４が障害とならずに下段位の蓋体３上に確実に安定した状態で係合できる。その結果、容器１を積み重ね状に陳列して例えば弁当として販売するとき、容器１等は複数段に積み重ね状に保持でき、荷崩れを生じさせにくくする。
【００１４】
また、位置決め突起５ａ，５ｂは、蓋体３の相対向する部位に締着用紐部材９例えば輪ゴムを引っ掛けて、容器本体２及び蓋体３の両者を締着させた際に当該締着用紐部材９を係止可能としたので、締着用バンド４のみならず、輪ゴム、縛り紐その他によっても蓋体３を容器本体２にしっかりと位置決め締着でき、蓋体３に形成された一対の位置決め突起５ａ，５ｂの使い勝手が向上する。
【００１５】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００１６】
以下、図面を参照して本発明を実施するための最良の一形態を説明する。尚、以下においては、本発明に係る容器として、例えばコンビニエンスストア・スーパーマーケット等で販売される例えば弁当等の食品容器について説明するが、本発明に係る容器は、これに限定されず、加工食品以外の種々の収容物の容器としても幅広く応用可能である。
【００１７】
しかして図において示される符号１は、各種の加工した食品を収容可能とした容器であり、該容器１は、例えばＡ−ＰＥＴもしくはＯＰＳ等のプラスチック製、あるいはパルプ・植物性繊維、その他の素材によって薄肉に形成されている。尚、その他の素材として、例えばポリエチレン、ポリプロピレン、塩化ビニル樹脂、メラミン樹脂等の合成樹脂を使用することもでき、これら種々の素材によって本発明が限定されるものではない。
【００１８】
この容器１は、図５に示すように、種々のおかずや米飯等の食品を個別に収容するために底面から内側へ向けて突条状となって形成された仕切部Ｑを介して複数の収容部Ｐが内底部で区画状に配置された例えば平面からみて矩形トレー状の不透明な容器本体２と、該容器本体２の開口部外周側に被嵌することで閉蓋可能とした例えば外蓋式構造等による透明な蓋体３とからなる。尚、容器本体２、蓋体３は図示のように平面で矩形状を呈する場合に限らず、円形、楕円形、六角形その他の多角形状を呈していることもあり、これらの平面形状は任意に選定可能である。
【００１９】
また、図１及び図２に示すように、容器本体２及びこれに被嵌した蓋体３を共に巻回して両者を締着させるための例えばビニール製・紙製、またはパルプ・植物性繊維等によって形成された薄肉なフィルム状の締着用バンド４を備えている。この締着用バンド４は、所定幅員の帯状に形成されており、容器本体２、蓋体３を共に巻回するに十分な長さを有している。
【００２０】
容器本体２は、図５に示すように、その上部開口側において、外向き環状に形成した段差２ａを介して、フラットな環状縁部２ｂが形成され、この環状縁部２ｂ外周は、下向傾斜状に若干屈曲してフランジ状の係止部２ｃとなっている。
【００２１】
また、蓋体３は、図３及び図４に示すように、矩形平面状で膨出されている中央の天面部３ｂの周囲に傾斜面３ｃが形成され、該傾斜面３ｃの下縁である蓋体３の周縁にはフラットな環状縁部３ｄを介して被係止部３ａを備えることで、側面から見て略台形トレー状に形成されている。被係止部３ａは、環状縁部３ｄの外周縁から下向傾斜状に若干屈曲して形成され且つ内周には位置決め突起もしくは段差を備えている。
【００２２】
そして、この蓋体３が容器本体２の開口部外周側に被嵌された際には、蓋体３の被係止部３ａにある位置決め突起もしくは段差が容器本体２の係止部２ｃ先端に係架されて固定できるようにしてある。
【００２３】
また、蓋体３の環状縁部３ｄから被係止部３ａにかけての周縁部の左右または前後の対称位置には、締着用バンド４の幅員よりも若干大きな幅間隔を有するように、例えば図１または図２の円内拡大図で示すような略山形突起状等の一対の位置決め突起５ａ，５ｂを形成し、これら一対の位置決め突起５ａ，５ｂ間で締着用バンド４を巻回配置させるものとしてある。
【００２４】
さらに、蓋体３の左右または前後の対称位置における傾斜面３ｃの各中央には、帯状に窪ませてなる溝部３ｅが縦方向に形成されていることで蓋体３自体の補強部となっている。尚、この溝部３ｅは、位置決め突起５ａ，５ｂ位置に対応させ、また相互間の間隔に対応した幅員とすることで、蓋体３上での締着用バンド４の位置決め案内を図るものとすることもできる。
【００２５】
また、図示による説明を省略するが、蓋体３の一対の位置決め突起５ａ，５ｂに対応して、容器本体２の環状縁部２ｂにおける左右もしくは前後の対称位置に一対の位置決め突起（図示せず）を設け、容器本体２の開口部外周側に蓋体３を被嵌した際に、蓋体３の一対の位置決め突起５ａ，５ｂの各内側に、容器本体２の一対の位置決め突起がそれぞれ嵌り込むことで、蓋体３側の一対の位置決め突起５ａ，５ｂ自体を補強させるようにしても良い。
【００２６】
さらに、締着用バンド４の長手方向に沿った縁部には、例えば等間隔毎にＶ字カットを形成するか、あるいはミシン目を形成するかによって、当該締着用バンド４を如何なる箇所からでも横断方向で自由に切断することができる破断部７を形成してある（図１または図２参照）。
【００２７】
図１、図２、図５に示すように、容器本体２の下面周縁には、蓋体３の一対の位置決め突起５ａ，５ｂ間を避けるようにして、嵌合段差部８が形成されている。すなわち、容器本体２の下面周縁には、積み重ね時の下段に位置する他方の容器本体２に被嵌された蓋体３の上面に係合可能とした突部状の嵌合段差部８を備え、該嵌合段差部８には前記一対の位置決め突起５ａ，５ｂ間に対応した位置に設けられることで、容器本体２、蓋体３を共に巻回する締着用バンド４を挿通させるよう、突部状の嵌合段差部８の一部を切除するようにすることで挿通凹所８ａが形成されている。これは、下段に位置する容器本体２に被嵌された蓋体３の上面に、上段に積み重ねる他方の容器１を載せた際に、容器本体２、蓋体３を共に巻回されている締着用バンド４が嵌合段差部８の上面で掛け渡されることで、対向している嵌合段差部８部位相互間で締着用バンド４部位で空隙を生じ、締着用バンド４によって嵌合段差部８が蓋体３にしっくりと嵌め合わなくなるのを防止するのである。挿通凹所８ａ内で締着用バンド４が挿通され、締着用バンド４が容器本体２の下面に密着することで、嵌合段差部８内の全域が窪んだ状態となり、締着用バンド４が障害とならずに、この嵌合段差部８によって、下段位の蓋体３の上面に上段位の容器１をしっかりと積み重ね、嵌合できるようにしてある。
【００２８】
また、図６に示すように、前記締着用バンド４を使用するのに代えて、輪ゴムの如き締着用紐部材９を使用した場合には、蓋体３の相対向する部位に締着用紐部材９を引っ掛けて、容器本体２及び蓋体３の両者を締着させた際に、当該締着用紐部材９を一対の位置決め突起５ａ，５ｂのいずれか一方に係止可能となるようにしてある。容器本体２が例えば平面矩形状を呈するときは、対角線方向に位置する容器本体２の角部同士に底面を介して輪ゴム等を引っ掛けることで、容器本体２及び蓋体３の両者を締着させた際に、当該輪ゴムを一対の位置決め突起５ａ，５ｂのいずれか一方に係止可能とさせてある。もとより、輪ゴムに限らず、弾発性がない紐部材によって縛るようにしたり、その縛る方向も対角線方向とせずに、縦あるいは横方向にしたり等も任意である。
【００２９】
次に、以上のように構成された最良の形態についての使用の一例について説明する。先ず、容器本体２内部の各収容部Ｐ箇所に米飯及びおかずやトッピング等の各種の食品を入れ、蓋体３を被嵌する。そして、図１及び図２に示すように、蓋体３の一対の位置決め突起５ａ，５ｂ間に、また、挿通凹所８ａ内に締着用バンド４を配置するようにして当該締着用バンド４を容器本体２、蓋体３を共に巻回状に装着する。これによって、位置決め突起５ａ，５ｂ間からの締着用バンド４の滑り移動による逸脱が阻止される。
【００３０】
また、容器１を複数段に縦積みして保管もしくは店頭にて陳列する場合には、図１、図２、図５に示すように、容器本体２下面の嵌合段差部８には、蓋体３の一対の位置決め突起５ａ，５ｂ間に対応した位置で挿通凹所８ａが形成されていることで、容器本体２、蓋体３を共に巻回した締着用バンド４は容器本体２下面に密着されているから、締着用バンド４自体が障害とならずに、下段位の一方の容器１の蓋体３の上面に、上段位の他方の容器１の容器本体２下面の嵌合段差部８を安定した確実な状態で嵌合させる。
【００３１】
そして、容器１に収納された各種の食品を供食する場合には、締着用バンド４を、その破断部７によって切断し、容器本体２〜蓋体３を取り外せば良い。
【００３２】
また、締着用バンド４を使用する代わりに、図６に示すように輪ゴムの如き締着用紐部材９を使用した場合には、蓋体３の相対向する部位に引っ掛けて、容器本体２及び蓋体３の両者を締着する。このとき、締着用紐部材９は、蓋体３の一対の位置決め突起５ａ，５ｂのいずれか一方に係止されて、締着用紐部材９の不用意な抜脱が阻止される。
【図面の簡単な説明】
【００３３】
【図１】本発明を実施するための最良の形態を示す分解斜視図である。
【図２】同じく多段的に積み重ねた使用状態を示す斜視図である。
【図３】蓋体の一例を示す平面図である。
【図４】同じく蓋体の一部切欠側面図である。
【図５】同じく多段的に積み重ねた状態の断面図である。
【図６】締着用バンドの替わりに締着用紐部材を使用した場合の斜視図である。
【符号の説明】
【００３４】
Ｐ…収容部                              Ｑ…仕切部
１…容器                                ２…容器本体
２ａ…段差                              ２ｂ…環状縁部
２ｃ…係止部                            ３…蓋体
３ａ…被係止部                          ３ｂ…天面部
３ｃ…傾斜面                            ３ｄ…環状縁部
３ｅ…溝部                              ４…締着用バンド
５ａ，５ｂ…位置決め突起                ７…破断部
８…嵌合段差部                          ８ａ…挿通凹所
９…締着用紐部材
【図１】
2009149349.tif 000003
【図２】
2009149349.tif 000004
【図３】
2009149349.tif 000005
【図４】
2009149349.tif 000006
【図５】
2009149349.tif 000007
【図６】
2009149349.tif 000008